(57)【特許請求の範囲】
【請求項１】
少なくとも片面が磁力層であるマグネットシートの該磁力層反対表面に、屈折率1.4〜1.7の低屈折率顔料をバインダー樹脂層に分散固着させた多孔質層を設けた事を特徴とする水変色性ゴルフボール打痕チェックシート。
【請求項２】
マグネットシートの磁力層が異方性強力磁石であることを特徴とする、請求項１記載の水変色性ゴルフボール打痕チェックシート。
【請求項３】
マグネットシートの磁力層がネオジウム磁石であることを特徴とする請求項１記載の水変色性ゴルフボール打痕チェックシート。
【発明の詳細な説明】
【技術分野】
【０００１】
本発明はゴルフボール及び疑似ゴルフボールのゴルフクラブフェース面での打痕を一時的に表示する打痕チェック用マグネットシートに関する。
【背景技術】
【０００２】
ゴルフを楽しむ人間にとって、ナイスショットをしたとき、ミスショットをしたとき、今打ったボールはゴルフクラブフェースのどこに当たったのかを知りたいものである。この情報によりボールを確実にスイートスポットでヒットするよう、スイング改善に役立てられるからである。従来より、いくつかのゴルフボール打痕チェックシートが知られている。特に広く使われているのが、無色の染料をカプセルに閉じ込めたものと、顕色剤とを含んだ層を有するシートをクラブフェース面に粘着させ、ゴルフボールによる打撃でカプセルが壊れ、無色染料と顕色剤の反応により打痕として発色する感圧シート方式がある（特許文献１）。この感圧シート方式を含め、他方式の打痕チェックシートも、一旦発色した打痕は消えることがなく、打てば打つほど打痕チェックシートは打痕だらけになっていく。そのためせいぜい２〜３球しかショットの判定には使用出来なかった。また、従来の打痕チェックシートは粘着剤でクラブフェース面に粘着貼りするので、貼る時は位置合わせに苦労し、剥がすときはなかなか綺麗に剥がれないなどの打痕チェックシートの脱着が大変不便であった。
【０００３】
特許文献１：実開昭５８−７７７１
【発明の開示】
【発明が解決しようとする課題】
【０００４】
本発明が解決しようとする課題は、ゴルフボール打痕チェックシートのゴルフクラブフェースへの装着、脱着を従来より格段に容易にし、かつ現れた打痕は目視確認後、短時間で消失し、繰り返し連続使用可能なゴルフボール打痕チェックシートを提供することにある。
【課題を解決するための手段】
【０００５】
第一の課題解決手段は、少なくとも片面が磁力層であるマグネットシートの該磁力層反対表面に、屈折率1.4〜1.7の低屈折率顔料をバインダー樹脂層に分散固着させた多孔質層を設けた事を特徴とする水変色性ゴルフボール打痕チェックシートとする。
【０００６】
第二の課題解決手段は、マグネットシートの磁力層が異方性強力磁石であることを特徴とする、請求項１記載の水変色性ゴルフボール打痕チェックシートとする。
【０００７】
第三の課題解決手段は、マグネットシートの磁力層がネオジウム磁石であることを特徴とする請求項１記載の水変色性ゴルフボール打痕チェックシートとする。
【発明の効果】
【０００８】
本発明による効果は以下の通りである。即ち、ゴルフボールまたはゴルフ疑似ボールの少なくとも打球面側を水で濡らした状態で、ゴルフボール打痕チェックシートをクラブフェース面に磁力装着させたゴルフクラブで打つと、ボールのインパクト箇所がボール表面の水によりシート表面にくっきりと発色表示される。しかしこの打痕発色は水による発色の程度にもよるが最長でも数分で完全に消失する。打痕チェックシート表面の多孔質層が水で満たされると屈折率が水に近い多孔質顔料層は透明になり、その下にある着色顔料層の色が現れるが、本打痕チェックシートは多孔質顔料層から水が蒸発すれば発色は直ちになくなる。そのため、打痕シートの水を早く蒸発させる素振りをすれば消失時間はさらに短縮される。また本発色は感圧発色ではないので、室内練習用の柔らかい発泡ウレタンや、発泡スチレンなどの打圧が極端に低い疑似ゴルフボールでも、表面に水さえ含ませておけばくっきりとした打痕をクラブフェース面で表示させることが出来る。即ち、本発明による打痕チェックシートは本物のゴルフボールから、室内練習用の柔らかい疑似ゴルフボールまでの打痕をチェック可能となる。また打痕はすぐに消失するので本打痕チェックシートはフェース面に装着したまま、打痕チェック連続使用を可能とする。
【０００９】
また、本打痕チェックシートの裏面はマグネットになっているため鉄を主体とするアイアンフェース面と簡単に着脱を行うことが出来る。またマグネットを異方性磁性体にすることによりフェース面に対して強力な磁力吸着を得ることが出来る。粘着剤と異なる磁力吸着であるがフェース面全体に磁力が働いており、特に磁力の強いネオジウム磁石を用いた打痕チェックシートでは本物のゴルフボールボールを打っても本打痕チェックシートはフェース面からずれる事なく使用出来る。
【発明を実施するための最良の形態】
【００１０】
第一の実施形態の打痕チェックシートDSの断面を図１に示す。第１層である最表面層は吸水性多孔質層１である。屈折率が1.7以下の白色顔料が主体となってバインダーと共に塗布されている。白色顔料としては、屈折率1.7以下のもの、たとえばシリカ、タルク、カオリン、炭酸カルシュウム等が用いられる。バインダーとしてはアクリル系ラテックスもしくは、SBR系ラテックスが好適である。塗布量は乾膜として第２層である下層の着色層３を隠蔽出来る最低必要量となる。
【００１１】
第２層となる着色顔料層２は、着色顔料をバインダーと共に塗布したものである。その下第３層は支持体フィルムシート層３であり、ポリプロピレンフィルム、ポリエステルフィルムが最適である。第４層は最下層であるマグネットシート層５と接着するための接着層４である。アクリル系ラテックスもしくは、SBR系ラテックスが用いられる。勿論、第１層、第２層が塗布可能であれば第３層の支持体シートは何でも良く、織布さえありうることは明らかである。
【００１２】
第５層はマグネットシート層５である。異方性マグネットシートであり、片面が磁力層であり、磁極５aが設けられている。フェライト系の等方性磁性体は磁力が弱く、本発明には適さない。マグネットシート厚は０．４〜０．６mm程度、打痕チェックシート全体厚として１mm以下に収めるとクラブフェースへの脱着も容易である。  
【００１３】
上記実施例では第１層１、第２層２、第３層３からなる市販の水で書けるシート（商品名スイスイおえかき  青  パイロットインキ株式会社製  SSV-オエカキ-L6）であり、マグネットシート層５は、市販の異方性マグネットシート（株式会社ツチノ製  51-625）を用いた。用いたマグネットシートは磁力層の反対面に剥離紙付き粘着層を有しており、上記お絵かきシートと粘着貼り出来、打痕チェックシートＤＳが出来上がる。
【００１４】
図２はアイアンクラブとアイアンフェースに合わせてカットされた打痕チェックシートDSCを示す。図３は打痕チェックシートDSCをアイアンクラブフェース面に磁力装着させた状態を示す。
【００１５】
スポンジ製疑似ゴルフボールの打球面側に水を含ませて打つと、打痕チェックシートにくっきりと青色の打痕が表示され、数分で完全に消失した。図４は打痕チェックシートに打痕Dが出現表示された直後を示す。打痕が消えると、当然図３の状態に戻る。
【００１６】
第二の実施形態はマグネットシートにネオジウム磁石を用いたものである。疑似ボールではなく、本物のゴルフボールを打っても打痕チェックシートDSCは剥がれることなく、ボール片面を濡らしておくと、くっきりと打痕が表示され、数分で消えた。
【００１７】
以上の如く、本ゴルフボール打痕チェックシートは、ゴルフボールのクラブフェース面における打痕が瞬時に発色表示され、かつ打痕確認後、短時間で消失するため何度でも本打痕チェックシートを装着したまま繰り返し使え、かつ打痕チェックシートの着脱もマグネットシートにより粘着式従来打痕チェックシートに比べ遙かに簡単になった。また、本打痕チェックシートは感圧発色ではないため、室内練習のための柔らかいスポンジ製疑似ゴルフボールでも、鮮やかな打痕を発色させるため、アマチュアゴルファーによる室内ゴルフ練習法に革命すら起こすと考えられる。
【図面の簡単な説明】
【００１８】
【図１】打痕チェックシート断面図
【図２】ゴルフクラブ（アイアン）と打痕チェックシートDSC
【図３】打痕チェックシートDSCがクラブフェース面に磁力接着された
【図４】打痕Dが発色された
【符号の説明】
【００１９】
DS      ゴルフボール打痕チェックシート
DSC     ゴルフボール打痕チェックシートのカットシート
D        打痕
１       第１層（多孔質層）
２       第２層（着色顔料層）
３       第３層（支持体）
４       第４層（接着層）
５       第５層（マグネットシート）
５a      磁極
【要約】
【課題】  
ゴルフクラブフェース面のどこにボールが当たったのかを知るための打痕チェックシートが知られている。これらは発色した打痕が消えないため数回打ったら使えなくなり、新しいシートと交換しなければならず、また粘着方式でクラブフェース面に粘着させるため打痕シートの脱着は作業として大変であった。  
【解決手段】
少なくとも片面が磁力層であるマグネットシートの磁力層反対表面に、屈折率1.4〜1.7の低屈折率顔料をバインダー樹脂層に分散固着させた多孔質層を設けた事を特徴とする水変色性ゴルフボール打痕チェックシートとする。  
【選択図】図１【図１】
0005827439.tif 000002
【図２】
0005827439.tif 000003
【図３】
0005827439.tif 000004
【図４】
0005827439.tif 000005